(57)【要約】【課題】ポールから照明器具が落下しにくい照明器具取付装置及びそれを用いた照明装置を提供する。【解決手段】照明器具取付装置２は、地面から立設されたポール１に照明器具３を取り付けるためのものであって、一端側がポール１の先端に取り付けられ且つ他端側に照明器具３が取り付けられる筒状の装置本体２１と、装置本体２１がポール１から落下するのを防止するためのワイヤ５とを備える。装置本体２１は、一端側がポール１の内面に取り付けられたワイヤ５の他端側を装置本体２１の内面に取り付ける作業を行うための開口部２１１を有し、ポール１の先端に設けられた小径部１２が装置本体２１の一端側に差し込まれることで装置本体２１がポール１に取り付けられる。このように、装置本体２１とポール１とがワイヤ５により連結されているので、装置本体２１及び照明器具３がポール１から落下するのを抑えることができる。【選択図】図１
2014089829.tif 000002
【特許請求の範囲】
【請求項１】
地面から立設されたポールに照明器具を取り付けるための照明器具取付装置であって、
一端側が前記ポールの先端に取り付けられ且つ他端側に前記照明器具が取り付けられる筒状の装置本体と、前記装置本体が前記ポールから落下するのを防止するための落下防止部材とを備え、
前記装置本体は、一端側が前記ポールの内面に取り付けられた前記落下防止部材の他端側を前記装置本体の内面に取り付ける作業を行うための開口部を有し、前記ポールの先端に設けられた小径部が前記装置本体の一端側に差し込まれることで前記装置本体が前記ポールに取り付けられることを特徴とする照明器具取付装置。
【請求項２】
前記装置本体は、前記照明器具とは異なる別の器具が取り付けられる被取付部を有していることを特徴とする請求項１記載の照明器具取付装置。
【請求項３】
請求項１又は２記載の照明器具取付装置と、前記照明器具取付装置に取り付けられる前記照明器具とを備えていることを特徴とする照明装置。
【発明の詳細な説明】
【技術分野】
【０００１】
本発明は、照明器具取付装置及びそれを用いた照明装置に関するものである。
【背景技術】
【０００２】
従来より、街路灯や道路灯として用いられる照明装置が提供されている（例えば特許文献１参照）。この照明装置は、地面から立設される支柱と、支柱に取り付けられる灯具と、支柱において灯具よりも低い位置に取り付けられるセンサ器具とを備える。灯具は、複数のＬＥＤモジュールと、複数のＬＥＤモジュールに電力を供給する点灯装置とを具備し、センサ器具は、明るさを検出する照度センサと、人の存在を検出する人感センサと、ＬＥＤモジュールの点灯状態を制御する制御装置とを具備する。
【０００３】
この照明装置では、照度センサが所定値以上の明るさを検出しているときは、制御装置が灯具に対して消灯信号を出力し、この消灯信号に従って灯具がＬＥＤモジュールを消灯させる。なおこのとき、人感センサは制御装置からの指示に従って動作を停止している。また、照度センサが検出している明るさが所定値未満のときは、制御装置が灯具に対して点灯信号を出力し、この点灯信号に従って灯具がＬＥＤモジュールを所定の照度で点灯させる。なおこのとき、人感センサは制御装置からの指示に従って動作を開始する。そして、人感センサが人や車両などの熱源の移動を検知すると、制御装置が灯具に対して全点灯を指示する検知信号を出力し、この検知信号に従って灯具がＬＥＤモジュールを全点灯させる。また、人感センサが人や車両などの熱源の移動を検知していない状態では、ＬＥＤモジュールの一部を消灯させる。
【先行技術文献】
【特許文献】
【０００４】
【特許文献１】特開２０１２−２２７８１号公報
【発明の概要】
【発明が解決しようとする課題】
【０００５】
上述の特許文献１に示した照明装置では、支柱の先端に取り付けられた取付具に灯具を取り付けることで灯具が支柱に取り付けられるようになっているが、この取付具には支柱から落下するのを防止する手段が設けられていなかった。
【０００６】
本発明は上記問題点に鑑みて為されたものであり、その目的とするところは、ポールから照明器具が落下しにくい照明器具取付装置及びそれを用いた照明装置を提供することにある。
【課題を解決するための手段】
【０００７】
本発明の照明器具取付装置は、地面から立設されたポールに照明器具を取り付けるためのものであって、一端側がポールの先端に取り付けられ且つ他端側に照明器具が取り付けられる筒状の装置本体と、装置本体がポールから落下するのを防止するための落下防止部材とを備える。装置本体は、一端側がポールの内面に取り付けられた落下防止部材の他端側を装置本体の内面に取り付ける作業を行うための開口部を有し、ポールの先端に設けられた小径部が装置本体の一端側に差し込まれることで装置本体がポールに取り付けられる。
【０００８】
この照明器具取付装置において、装置本体は、照明器具とは異なる別の器具が取り付けられる被取付部を有しているのが好ましい。
【０００９】
本発明の照明装置は、上記の照明器具取付装置と、上記の照明器具取付装置に取り付けられる照明器具とを備えている。
【発明の効果】
【００１０】
装置本体とポールとが落下防止部材により連結されているので、装置本体及び装置本体に取り付けられた照明器具がポールから落下するのを抑えることができるという効果がある。
【図面の簡単な説明】
【００１１】
【図１】本実施形態の照明器具取付装置をポールに取り付けた状態の一部省略せる断面図である。
【図２】（ａ）（ｂ）は同上を用いて照明器具をポールに取り付けた状態の一部省略せる側面図である。
【図３】同上及び照明器具をポールから取り外した状態の一部省略せる側面図である。
【図４】同上の断面図である。
【図５】同上に取り付けられる照明器具の断面図である。
【図６】同上及び照明器具の概略ブロック図である。
【発明を実施するための形態】
【００１２】
以下に、照明器具取付装置及びそれを用いた照明装置の実施形態について図１〜図６を参照して説明する。本実施形態の照明器具取付装置２は、例えば地面から立設されたポール１に照明器具３を取り付けるためのものであって、この照明器具取付装置２によりポール１に取り付けられた照明器具３は、ポール１周辺の地面を照らす街路灯や公園灯、道路灯として用いられる。なお、以下の説明では特に断りがない限り、図２（ａ）に示す向きにおいて上下左右の方向を規定して説明を行う。ここに本実施形態では、照明器具取付装置２と、照明器具取付装置２に取り付けられる照明器具３とで照明装置が構成されている。
【００１３】
ポール１は、図１〜図３に示すように、上下方向に長い鋼管（例えばＳＴＫ４００など）からなるポール本体１１を有し、ポール本体１１の先端（上端）には小径部１２が一体に設けられている。また、小径部１２の内側面における上端部には、ワイヤ５の一端を固定するための固定ねじ１０５がねじ込まれるナット部１３，１３が左右両側にそれぞれ溶接されている（図１参照）。
【００１４】
照明器具取付装置２は、図１、図３及び図４に示すように、上下方向に長い鋼管（例えばＳＴＫ４００など）からなる装置本体２１を有し、装置本体２１の先端（上端）には小径部２２が一体に設けられている。また、装置本体２１の外側面には、上下方向に長い矩形の開口部２１１が設けられている（図１参照）。この開口部２１１は、装置本体２１の内面に取り付けられた張力止め金具２５にワイヤ５の他端を固定する作業を行うために設けられたものであり、上記作業後には蓋２４により閉塞される。
【００１５】
また、装置本体２１において開口部２１１よりも下側には、後述のセンサ装置４が着脱自在に取り付けられる筒状の被取付部２３，２３が左右両側にそれぞれ設けられている。各被取付部２３の外側面には、センサ装置４を固定するための固定ねじ１０２がねじ込まれるねじ孔（図示せず）がそれぞれ２個ずつ設けられており、さらに各被取付部２３の底面部には、センサ装置４に電気的に接続された電線４４（電源線及び調光信号線）を通すための通線孔２１２がそれぞれ設けられている。なお、電線４４の先端にはコネクタ４４１が設けられており、このコネクタ４４１は、後述の制御ユニット５１に電気的に接続された電線（図示せず）の先端に設けたコネクタ（図示せず）に接続される。
【００１６】
ここに、ワイヤ５の他端が固定される張力止め金具２５は、図１及び図４に示すように左右方向に長い矩形板状に形成されており、張力止め金具２５の左右方向における中央部で且つ上下方向における下端部には、張力止め金具２５の一部を切り起こすことで形成されたＬ字状の固定部２５１が設けられている。この固定部２５１には、ねじ込み可能な形で固定ねじ１０６が取り付けられており、この固定ねじ１０６と固定部２５１とでワイヤ５の他端を挟み込むことで、ワイヤ５が張力止め金具２５に固定される。
【００１７】
センサ装置４は、例えばドップラー効果を利用して人や車両（自動車、自転車）などを検出する電波式の人感センサ４１と、人感センサ４１を照明器具取付装置２に取り付けるための取付金具４２と、人感センサ４１を覆うようにして取付金具４２に取り付けられるカバー４３とを備える。人感センサ４１は、矩形箱状に形成されたセンサ本体４１１と、センサ本体４１１を支持する支持台４１２とを有し、支持台４１２の下部端縁には外向きに延出する鍔部４１３が一体に設けられている。カバー４３は、一面が開口する矩形箱状に形成されたカバー本体４３１を有し、カバー本体４３１の開口端縁には外向きに延出する鍔部４３２が一体に設けられている。ここに、人感センサ４１とカバー４３を組み付けた状態では、図１及び図４に示すように、支持台４１２の鍔部４１３及びカバー本体４３１の鍔部４３２を挟み込むようにパッキン４５が取り付けられる。
【００１８】
取付金具４２は、装置本体２１に設けた被取付部２３が差し込まれる筒状の支持部４２１を有し、支持部４２１の外側面には、固定ねじ１０２を挿通するための挿通孔（図示せず）が、被取付部２３に設けたねじ孔と重なる位置に設けられている。また、支持部４２１の先端には、一面が開口する箱状に形成された取付部４２２が一体に設けられており、この取付部４２２の開口面には、カバー４３のカバー本体４３１が挿通可能な開口部を有する枠体４２３が固定ねじ１０３を用いて取り付けられる。さらに、取付部４２２の底面部には、人感センサ４１に電気的に接続された電線４４を通すための通線孔４２２ｂが設けられている。ここに、人感センサ４１及びカバー４３を取付金具４２に組み付けた状態では、図１及び図４に示すように、カバー４３に取り付けられたパッキン４５を取付部４２２の開口端縁と枠体４３２の枠辺とで挟み込むことで、人感センサ４１及びカバー４３が取付金具４２に保持される。なお、センサ装置４の組立手順については後述する。
【００１９】
照明器具３は、図５に示すように、光源部３４と、光源部３４に電力を供給する電源ユニット３５と、光源部３４の点灯状態を制御する制御ユニット５１と、光源部３４、電源ユニット３５及び制御ユニット５１を保持する器具本体３１とを備える。また照明器具３は、光源部３４を覆うようにして器具本体３１に取り付けられるグローブ３２と、器具本体３１の上側開口を塞ぐカバー３３とを備える。
【００２０】
光源部３４は、熱伝導率の高い材料（例えばアルミニウム、アルミニウム合金、銅、ステンレスなど）からなる放熱部材３４１を有し、放熱部材３４１の上面（図５中の下面）には、ＬＥＤ素子が実装された実装基板（図示せず）が取り付けられている。また、光源部３４は、ＬＥＤ素子から放射される光の配光を制御するドーム状のレンズ部３４２を有し、このレンズ部３４２は、ＬＥＤ素子を覆うようにして放熱部材３４１に取り付けられている。
【００２１】
制御ユニット５１は、センサ装置４の検出結果に応じた調光信号を作成して電源ユニット３５に出力し、電源ユニット３５は、上記調光信号に応じた電力を光源部３４に供給する。なお、詳細については後述する。
【００２２】
器具本体３１は、金属材料（例えばアルミニウム、アルミニウム合金、ステンレスなど）により形成され、下面及び上面が開口する椀状の本体部３１１と、中空の四角錐台形状に形成され光源部３４を保持する保持部３１３と、保持部３１３の平板部３１５に一体に設けられ照明器具取付装置２に固定される固定部３１２とを有する。
【００２３】
本体部３１１は、上述したように椀状に形成されており、この本体部３１１の上面中央には円形の開口部３１７が設けられ、さらに開口部３１７よりも外側には複数の凹部３１６が周方向に沿って設けられている。また、各凹部３１６の底部には、固定ねじ（図示せず）を挿通するための挿通孔３１６ａがそれぞれ設けられている。さらに、開口部３１７の開口端縁には、四角錐台形状の保持部３１３が一体に形成されている。なお、本体部３１１の開口部３１７には、開口部３１７の開口寸法よりも大きい外径寸法に形成されたカバー３３が着脱自在に取り付けられるようになっており、例えば制御ユニット５１の設定（光源部３４の調光レベルなど）を変えたり、電源ユニット３５や制御ユニット５１を交換する際に着脱される。
【００２４】
保持部３１３は、平板部３１５と、平板部３１５の端縁から延出し上側に行くほど外側に傾斜する４つの傾斜部３１４とで四角錐台形状に形成され、各傾斜部３１４の上端部分で本体部３１１と一体になっている。そして、各傾斜部３１４の下面には、光源部３４がそれぞれ１個ずつ取り付けられており、各光源部３４からの光は斜め下方に向けて照射される。また、平板部３１５の下部中央には、円筒状の固定部３１２が一体に形成されている。さらに、平板部３１５には、後述の落下防止装置３８のワイヤ３８１を挿通するための挿通孔３１５ａ，３１５ｂと、制御ユニット５１に電気的に接続された電線（図示せず）を挿通するための挿通孔３１５ｃとが設けられている。
【００２５】
ここに、各傾斜部３１４及び本体部３１１の内周面には白色塗装が施されており、これにより光源部３４から放射される光の反射光率を向上させている。また、挿通孔３１５ａ，３１５ｃは固定部３１２の筒内と連通する位置に設けられ、挿通孔３１５ｂは固定部３１２よりも外側の位置に設けられている。さらに、電源ユニット３５及び制御ユニット５１は、平板部３１５及び４つの傾斜部３１４に囲まれた空間ｓ１内に配置されており、光源部３４からの光が電源ユニット３５及び制御ユニット５１によって遮られることはない。
【００２６】
固定部３１２は、照明器具取付装置２の装置本体２１に設けた小径部２２（図１参照）が筒内に差し込まれた状態で照明器具３を保持するものであり、内径寸法が小径部２２の外径寸法よりもわずかに大きく設定されている。また、固定部３１２の外径寸法は、装置本体２１の外径寸法と略同寸法に設定されており、照明器具３を装置本体２１に取り付けた状態では、継ぎ目部分の段差がない形で取り付けることができる（図２（ａ）及び図２（ｂ）参照）。さらに、固定部３１２の側面にはねじ孔３１２ａが設けられており、このねじ孔３１２ａにねじ込んだ固定ねじ（図示せず）の先端が小径部２２の外側面に当接することで照明器具３が装置本体２１に固定される。
【００２７】
また、固定部３１２の筒内には、挿通孔３１５ｃを通って筒内に配線された制御ユニット５１からの電線（図示せず）を固定するための固定部材３７が配置されている。この固定部材３７には、複数（図５では３個）の張力止め具３７１が設けられており、固定部材３７の長手方向（図５中の上下方向）に沿って配線された上記電線がこれらの張力止め具３７１を使って固定部材３７に固定される。なお、上記電線の先端にはコネクタ（図示せず）が取り付けられており、センサ装置４に電気的に接続された電線４４の先端に設けたコネクタ４４１に上記コネクタを接続することで、センサ装置４と制御ユニット５１とが電気的に接続される。
【００２８】
グローブ３２は、透光性材料（例えばアクリル樹脂など）により上面が開口する椀状に形成されている。グローブ３２の下面中央には、器具本体３１の固定部３１２の外径寸法よりも開口寸法が大きい凹部３２１が設けられており、凹部３２１の底部３２２には、固定部３１２の外径寸法よりわずかに大きく設定された挿通孔３２２ａが設けられている。また、凹部３２１の底部３２２には、ワイヤ３８１を挿通するための挿通孔３２２ｂが設けられている。さらに、グローブ３２は、器具本体３１の本体部３１１に設けた各凹部３１６と対応する部位に、ねじ孔（図示せず）を有する取付金具３９が取り付けられており、器具本体３１にグローブ３２を組み付けた後、凹部３１６の挿通孔３１６ａに挿通した固定ねじ（図示せず）を取付金具３９のねじ孔にねじ込むことで、グローブ３２が器具本体３１に固定される。また、グローブ３２の内面（図５中の上面）には、複数の凹凸形状からなるプリズム部３２３が設けられており、光源部３４からの光がプリズム部３２３により拡散されて外部に照射されるようになっている。ここに、グローブ３２を器具本体３１に取り付けた状態では、平板部３１５の挿通孔３１５ｂと底部３２２の挿通孔３２２ｂとが連通するようになっている。
【００２９】
また、グローブ３２は、器具本体３１の固定部３１２を貫通させたリング状の取付金具３６を用いて器具本体３１に固定されるようにもなっており、取付金具３６に設けた挿通孔（図示せず）に挿通させた固定ねじ（図示せず）を器具本体３１の平板部３１５に設けたねじ孔（図示せず）にねじ込むことで、グローブ３２の凹部３２１の底部３２２が器具本体３１の平板部３１５と取付金具３６の間で挟持され、グローブ３２が器具本体３１に固定される。なお、器具本体３１の平板部３１５とグローブ３２の凹部３２１の底部３２２の間、及び凹部３２１の底部３２２と取付金具３６の間には、それぞれ円形のパッキン（図示せず）が挿入されており、防水性が確保されている。
【００３０】
ここで、グローブ３２の外縁近傍にはリング状のパッキン４０が取り付けられており、このパッキン４０によって器具本体３１との間の防水性を確保するようになっているが、上述の取付金具３６のみでグローブ３２を器具本体３１に取り付けた場合には、外縁部分での密着度が弱く、防水性が十分に確保できない可能性がある。そこで、本実施形態では、器具本体３１の各凹部３１６の挿通孔３１６ａにそれぞれ挿通させた固定ねじを対応する取付金具３９のねじ孔にねじ込むことで、グローブ３２と器具本体３１の外縁部分での密着度を高め、防水性を確保している。
【００３１】
ところで、取付金具３６には、図５に示すように落下防止装置３８のワイヤ３８１の一端が取り付けられている。このワイヤ３８１の他端側は、グローブ３２の凹部３２１の底部３２２の挿通孔３２２ｂ及び器具本体３１の平板部３１５の挿通孔３１５ｂを通り、さらに平板部３１５の挿通孔３１５ａを通って固定部３１２の筒内に挿入されており、先端には錘３８２が取り付けられている。そして、照明器具３を組み立てた状態から取付金具３６を固定している固定ねじ（図示せず）を取り外すと、グローブ３２の自重によりグローブ３２及び取付金具３６が器具本体３１から離れる方向（図５中の下方向）に移動するが、ワイヤ３８１に取り付けられた錘３８２が平板部３１５の挿通孔３１５ａの端縁部分に係止することで、グローブ３２が落下するのを防止することができる。
【００３２】
次に、照明器具３の組立手順について説明する。なお以下の説明では、固定部材３７が予め固定部３１２に取り付けられているものとして説明を行う。まず最初に、作業者は、器具本体３１の保持部３１３の各傾斜部３１４にそれぞれ光源部３４を取り付けるとともに、平板部３１５及び各傾斜部３１４に囲まれた空間ｓ１内に電源ユニット３５及び制御ユニット５１を配置する。続けて、作業者は、各光源部３４と電源ユニット３５の間を電源線３４３によりそれぞれ接続するとともに、制御ユニット５１に電気的に接続された電線（図示せず）を挿通孔３１５ｃを通して固定部３１２の筒内に配置した後、固定部材３７に固定する。
【００３３】
そして、作業者は、グローブ３２を下側から器具本体３１に組み付けた後、取付金具３６を用いてグローブ３２を器具本体３１に固定し、さらに器具本体３１の本体部３１１に設けた各凹部３１６の挿通孔３１６ａに挿通させた固定ねじを取付金具３９のねじ孔にねじ込むことで、器具本体３１とグローブ３２とがより密着した状態で結合される。このとき、器具本体３１の固定部３１２は、グローブ３２の凹部３２１の底部３２２に設けた挿通孔３２２ａを通って外側に露出した状態になるが、その一部はグローブ３２の凹部３２１内に収納される（図５参照）。そして最後に、作業者が、落下防止装置３８のワイヤ３８１の一端側を、挿通孔３１５ａ，３１５ｂ，３２２ｂを通して取付金具３６に固定した後、器具本体３１の開口部３１７をカバー３３により閉塞すると、照明器具３の組み立てが完了する。
【００３４】
続けて、センサ装置４の組立手順について説明する。まず最初に、作業者は、人感センサ４１とカバー４３を組み付けた後、支持台４１２の鍔部４１３及びカバー本体４３１の鍔部４３２を挟み込むようにパッキン４５を取り付ける。次に、作業者は、人感センサ４１に接続された電線４４を取付金具４２の取付部４２２に設けた通線孔４２２ｂに通した後、一体に組み付けた人感センサ４１及びカバー４３を取付部４２２の開口端縁に載置する。そして、作業者が、枠体４２３の開口部にカバー４３のカバー本体４３１を挿通しながら枠体４２３を取付部４２２に組み付けた後、固定ねじ１０３を用いて枠体４２３を取付部４２２に固定すると、センサ装置４の組み立てが完了する。このとき、カバー４３に取り付けられたパッキン４５を取付部４２２の開口端縁と枠体４３２の枠辺で挟み込むことで、人感センサ４１及びカバー４３が取付金具４２に保持される。
【００３５】
さらに、センサ装置４を照明器具取付装置２に取り付ける手順について説明する。まず最初に、作業者は、センサ装置４に電気的に接続された電線４４を被取付部２３の筒内に挿通するとともに、装置本体２１の通線孔２１２を通して装置本体２１内に配線する。次に、作業者は、取付金具４２の支持部４２１の筒内に被取付部２３を差し込んだ後、支持部４２１の挿通孔（図示せず）と被取付部２３のねじ孔（図示せず）の位置を合わせる。そして最後に、作業者が、上記挿通孔に挿通させた固定ねじ１０２を上記ねじ孔にねじ込むことで、センサ装置４が照明器具取付装置２に取り付けられる。ここに本実施形態では、センサ装置４により被取付部に取り付けられる別の器具が構成されている。
【００３６】
続けて、照明器具取付装置２及び照明器具３をポール１に取り付ける手順について説明する。まず最初に、作業者は、ポール１の小径部１２に設けた一方（図１では左側）のナット部１３にねじ込んだ固定ねじ１０５とナット部１３の間にワイヤ５の一端を挟み込んで固定する。次に、作業者は、装置本体２１の下側の筒内に小径部１２を差し込んだ後、固定ねじ１０４を用いて装置本体２１をポール本体１１に固定する。さらに、作業者は、装置本体２１に設けた開口部２１１を通してワイヤ５の他端側を上側に引き上げた後、装置本体２１の筒内に取り付けられた張力止め金具２５の固定部２５１にワイヤ５の他端を固定する。このとき、ポール本体１１及び装置本体２１に対してワイヤ５を弛み無く取り付けるのが好ましく、これにより照明器具取付装置２がポール１から抜けることがなく、照明器具取付装置２の落下を確実に防止することができ、さらにワイヤ５に加わる荷重を落下時に加わる荷重よりも小さくすることができる。ここに本実施形態では、ワイヤ５により落下防止部材が構成されている。
【００３７】
次に、作業者は、照明器具３に設けた固定部材３７及び落下防止装置３８を照明器具取付装置２の小径部２２の筒内に挿通しながら、小径部２２を固定部３１２の筒内に差し込む。さらに、作業者は、固定ねじ（図示せず）を用いて固定部３１２を小径部２２に固定した後、装置本体２１に設けた開口部２１１を通して、制御ユニット５１に電気的に接続された電線（図示せず）に設けたコネクタ（図示せず）と、人感センサ４１に電気的に接続された電線４４に設けたコネクタ４４１とを接続する。そして最後に、作業者が、蓋２４により装置本体２１の開口部２１１を閉塞した後、固定ねじ１０１を用いて蓋２４を装置本体２１に固定すると、照明器具取付装置２及び照明器具３のポール１への取り付けが完了する。
【００３８】
ここで、図６は本実施形態の照明器具取付装置２及び照明器具３の概略ブロック図である。照明器具３の電源ユニット３５及び制御ユニット５１は、分電盤６に内蔵された自動点滅器６１を介して所定の電力が供給され、制御ユニット５１は、各センサ装置４に対して動作電源を供給し、各センサ装置４から検出信号が入力される。そして、制御ユニット５１は、各センサ装置４から入力された検出信号に基づいて光源部３４の調光レベルを設定する調光信号を作成し、作成した調光信号を電源ユニット３５に出力する。電源ユニット３５は、制御ユニット５１から入力された調光信号に応じた電力を各光源部３４に供給し、各光源部３４は、電源ユニット３５から供給された電力によりＬＥＤ素子を所定の調光レベルで点灯させる。
【００３９】
例えば、何れのセンサ装置４からも検出信号が出力されない場合には、制御ユニット５１は、光源部３４の調光レベルを５０％とする調光信号を作成し、作成した調光信号を電源ユニット３５に出力する。電源ユニット３５は、制御ユニット５１から入力された調光信号に応じた電力（調光レベルが５０％となる電力）を各光源部３４に供給し、各光源部３４は、電源ユニット３５から供給された電力によりＬＥＤ素子を５０％の調光レベルで点灯させる。また、何れかのセンサ装置４から検出信号が出力されると、制御ユニット５１は、光源部３４の調光レベルを１００％とする調光信号を作成し、作成した調光信号を電源ユニット３５に出力する。電源ユニット３５は、制御ユニット５１から入力された調光信号に応じた電力（調光レベルが１００％となる電力）を各光源部３４に供給し、各光源部３４は、電源ユニット３５から供給された電力によりＬＥＤ素子を１００％の調光レベルで点灯させる。
【００４０】
而して本実施形態によれば、ポール１と照明器具取付装置２とがワイヤ５（落下防止部材）により連結されているので、照明器具取付装置２及び照明器具取付装置２に取り付けられた照明器具３がポール１から落下するのを抑えることができる。また、本実施形態のように、人感センサ４１を用いたセンサ装置４を照明器具取付装置２の被取付部２３に取り付けた場合には、上述のように、人感センサ４１の検出結果に応じて照明器具３の点灯状態を制御することができる。
【００４１】
なお本実施形態では、電波式の人感センサ４１を用いたセンサ装置４を別の器具としたが、例えば赤外線や可視光を利用した人感センサやこれらを組み合わせた人感センサを用いたセンサ装置を別の器具としてもよく、本実施形態に限定されない。また、センサの種類についても本実施形態に限定されるものではなく、例えば照度センサを用いたセンサ装置を別の器具としてもよい。さらに、別の器具はセンサ装置に限定されるものではなく、例えばスポットライトなどであってもよい。この場合、スポットライトにより所定の方向への照射光量を増加させることができる。
【００４２】
また本実施形態では、装置本体２１の両側に被取付部２３を設けているが、被取付部の個数は１個であってもいいし、３個以上であってもよい。さらに、落下防止部材についても本実施形態のワイヤ５に限定されるものではなく、照明器具取付装置２がポール１から落下するのを抑えることができるものであれば他のものでもよい。また、本実施形態のように、被取付部に対して別の器具を容易に着脱できるようにした場合には、例えばセンサ装置からスポットライトへの交換を容易に行うことができる。
【符号の説明】
【００４３】
１  ポール
２  照明器具取付装置
３  照明器具
５  ワイヤ（落下防止部材）
１２  小径部
２１  装置本体
２１１  開口部
【図１】
2014089829.tif 000003
【図２】
2014089829.tif 000004
【図３】
2014089829.tif 000005
【図４】
2014089829.tif 000006
【図５】
2014089829.tif 000007
【図６】
2014089829.tif 000008